(57)【要約】【目的】  転写フィルム等のロール製品を確実に固定できるコンテナを提供する。【構成】  規制部材２０は押え部材９にロール製品Ｒの軸方向と平行となるガイドロッド２１，２１を挿通し、これらガイドロッド２１，２１の内側端に当て板２２を取り付け、この当て板２２の内側面に衝撃を吸収する弾性シート２３を貼着している。またガイドロッド２１，２１の中間位置となる押え部材９にはネジ部材２４を螺進可能に取り付けている。このネジ部材２４を廻すことでネジ部材２４が前進し、ネジ部材２４の先端が当て板２２に当たり、更にネジ部材２４を前進せしめると当て板２２が弾性シート２３を介してロール製品Ｒの端面に当接し、ロール製品Ｒの軸方向の動きを規制する。【選択図】    図３
2006096378.tif 000002
【特許請求の範囲】
【請求項１】
ロール製品を収納するコンテナであって、このコンテナはロール製品の両端部から突出する支軸を保持する一対の保持機構を備え、この保持機構は前記支軸が載置される受け台と、この受け台に着脱自在に取り付けられるとともに前記支軸を前記受け台に押し付ける押え部材とからなり、更に前記一対の保持機構のうちの少なくとも一方の押え部材にはロール製品の軸方向の動きを規制する規制部材が付設されていることを特徴とするロール製品用コンテナ。
【発明の詳細な説明】
【技術分野】
【０００１】
本発明はＰＤＰ（プラズマディスプレイパネル）の構成材料として用いる転写フィルム等のロール製品を、収納したり搬送する際に利用するコンテナに関する。
【背景技術】
【０００２】
ＰＤＰ（プラズマディスプレイパネル）の誘電体層、電極、隔壁、蛍光体、抵抗体、カラーフィルタ、ブラックマトリックスなどを構成する材料は液状または転写フィルムの形態で取り扱われる。
【０００３】
転写フィルムの形態の場合は、ポリエチレンテレフタレートなどの支持フィルム上に上記の材料層を剥離可能に形成し、更に材料層の上に必要に応じてカバーフィルムを形成した２層または３層構造の転写フィルムを支軸に巻回してロール状とし、このロール製品をポリスチレン製の袋に入れ、コンテナに収納した状態で保管、或いは搬送するようにしている。
【０００４】
上記転写フィルムを巻回したロール製品がコンテナ内で不安定な状態で収納されていると、材料に悪影響を与える。そこで、特許文献１に開示されるようなコンテナ（梱包箱）が提案されている。
【０００５】
特許文献１に開示されるようなコンテナは、パレット上に一対の受け台を設け、この受け台に形成した受け溝にロール製品の両端から突出している支軸を載せ、この上から押え部材で押さえつけることで、ロール製品を固定する構造になっている。
【特許文献１】特開２００２−２０５７８９号公報
【発明の開示】
【発明が解決しようとする課題】
【０００６】
上述した特許文献１に開示されるコンテナにあっては、ロール製品の支軸を上下方向から押さえつけるので、上下方向の動きに対しては十分に対処できるが、ロール製品の軸方向に強い力が加わった時には、ズレが生じるおそれがある。このため、例えばトラックなどで搬送する場合にはトラックの進行方向と軸方向とが直交するように積載しなければならず、作業者に余分な注意を喚起しなければならない。
【０００７】
また、特許文献１に開示されるコンテナにあっては、受け台にロール製品の支軸が嵌り込む半円形の溝（凹部）を形成しており、ロール製品の機種変更によって支軸の径が変更されると、受け台ごと交換しなければならない。
【課題を解決するための手段】
【０００８】
上記課題を解決するため本発明に係るロール製品用コンテナは、ロール製品を収納するコンテナであって、このコンテナはロール製品の両端部から突出する支軸を保持する一対の保持機構を備え、この保持機構は前記支軸が載置される受け台と、この受け台に着脱自在に取り付けられるとともに前記支軸を前記受け台に押し付ける押え部材とからなり、更に前記一対の保持機構のうちの少なくとも一方の押え部材にはロール製品の軸方向の動きを規制する規制部材が付設された構成とした。
【０００９】
また、前記保持機構を構成する受け台には二股状の雌テーパ部を形成してサイズフリーとし、この受け台に着脱自在とされる押え部材にロール製品の支軸径に合わせた半円形凹部を形成することが好ましい。
【発明の効果】
【００１０】
本発明に係るコンテナによれば、ロール製品の軸方向に対しても確実に固定することができるので、あらゆる方向の衝撃からコンテナ内のロール製品を保護することができる。また、固定方法も簡単で作業性に優れる。
【００１１】
また、受け台に形成する凹部（溝部）をフリーサイズとし、押え部材に形成する凹部を個々のロール製品の支軸径に合わせるようにすれば、押え部材のみを交換するだけで機種変更に容易に対処することができる。
【発明を実施するための最良の形態】
【００１２】
以下に本発明の実施例を添付図面に基づいて説明する。図１は本発明に係るロール製品用コンテナの蓋体を外した状態の斜視図、図２は保持機構の端面図、図３は図２のＡ方向矢視図、図４は図２のＢ方向矢視図である。
【００１３】
ロール製品用コンテナはコンテナ本体１と下面を開放したボックス状蓋体２から構成され、ボックス状蓋体２の上面の四隅には段積みの際の位置決め用突部３が設けられている。尚、この突部３と係合する凹部については図示は省略するがコンテナ本体１の下面に形成されている。
【００１４】
一方、コンテナ本体１は平板状パレット４の下面に脚部５を設け、また平板状パレット４の上面には周縁部に沿って蓋体２を冠せた際のガタツキを防止するための凸条６が形成され、この凸条６の内側に対をなす保持機構７，７を設けている。図示例では２対の保持機構７を設けているが、これに限定はされない。また保持機構７はロールの長さにあわせて、動かせるようにしてもよい。
【００１５】
保持機構７は受け台８と押え部材９からなる。受け台８は二股状切り込みの上部を雌テーパ状の受け面１０とし、ロール製品Ｒの支軸Ｒ１の径寸法に左右されずに支軸Ｒ１を所定位置に位置決めできるようにしている。尚、受け面１０の上面には衝撃を吸収する弾性シート１１を貼着している。
【００１６】
また、押え部材９は一端側をヒンジ１２を介して回動自在に受け台８に取り付けられ、他端側には止め具１３を備えている。この押え部材９の下面にはロール製品Ｒの支軸Ｒ１の径に相当する半円形凹部１４が形成され、この凹部１４の表面にも衝撃を吸収する弾性シート１５を貼着している。尚、半円形凹部１４の径はコンテナに収納するロール製品Ｒに合わせたものを複数用意しておき、必要に応じて押え部材９のみを交換する。
【００１７】
前記凹部１４の形状としては、半円形に限らず溝状やハの字状などロール製品Ｒの支軸Ｒ１を確実に押さえ込むことができる形状であればよい。
【００１８】
また、前記押え部材９にはロール製品Ｒの軸方向の動きを規制する規制部材２０が付設されている。図示例では規制部材２０を左右両方の押え部材９に設けているが、一方の押え部材９のみに付設してもよい。
【００１９】
規制部材２０は押え部材９にロール製品Ｒの軸方向と平行となるガイドロッド２１，２１を挿通し、これらガイドロッド２１，２１の内側端に当て板２２を取り付け、この当て板２２の内側面に衝撃を吸収する弾性シート２３を貼着している。
【００２０】
更に前記ガイドロッド２１，２１の中間位置となる押え部材９にはネジ部材２４を螺進可能に取り付けている。而して、ネジ部材２４を廻すことでネジ部材２４が前進（図４において右方向に移動）し、ネジ部材２４の先端が当て板２２に当たり、更にネジ部材２４を前進せしめると当て板２２が弾性シート２３を介してロール製品Ｒの端面に当接し、ロール製品Ｒの軸方向の動きを規制する。
【００２１】
尚、図示例ではネジ部材と当て板２２とが離れている例を示したが、ネジ部材の先端を当て板２２に連結し、押し込む場合だけでなく戻す場合にもネジと一体的に当て板２２が移動するようにしてもよい。
【図面の簡単な説明】
【００２２】
【図１】本発明に係るロール製品用コンテナの蓋体を外した状態の斜視図
【図２】保持機構の端面図
【図３】図２のＡ方向矢視図
【図４】図２のＢ方向矢視図
【符号の説明】
【００２３】
１…コンテナ本体、２…ボックス状蓋体、３…位置決め用突部、４…パレット、５…脚部、６…凸条、７…保持機構、８…受け台、９…押え部材、１０…受け面、１１…弾性シート、１２…ヒンジ、１３…止め具、１４…半円形凹部、１５…弾性シート、２０…規制部材、２１…ガイドロッド、２２…当て板、２３…弾性シート、２４…ネジ部材、Ｒ…ロール製品、Ｒ１…ロール製品の支軸。
【図１】
2006096378.tif 000003
【図２】
2006096378.tif 000004
【図３】
2006096378.tif 000005
【図４】
2006096378.tif 000006